(57)【要約】【課題】電子機器の周囲に装着されたカバー部品が外れやすいことを解決する。【解決手段】本発明の電子端末は、電子端末本体と、当該電子端末本体の一端側の周囲に装着される略Ｕ字状に形成された弾性体からなるカバー部品と、を備え、上記カバー部品は、両端部に、当該各端部から突出する突起をそれぞれ備えると共に、当該各突起の近辺に当該突起の突出方向とは異なる方向に突出するフックをそれぞれ備え、上記電子端末本体は、カバー部品が装着された場合において、当該カバー部品の両端部にそれぞれ対向する箇所に、当該カバー部品の両端部に形成された各突起が挿入される突起用凹部をそれぞれ有すると共に、当該各突起凹部が形成された箇所の近辺に、カバー部品の両端部近辺にそれぞれ形成された前記各フックが挿入されるフック用凹部をそれぞれ有する。【選択図】図６
2014093453.tif 000002
【特許請求の範囲】
【請求項１】
電子端末本体と、
当該電子端末本体の一端側の周囲に装着される略Ｕ字状に形成された弾性体からなるカバー部品と、を備え、
前記カバー部品は、両端部に、当該各端部から突出する突起をそれぞれ備えると共に、当該各突起の近辺に当該突起の突出方向とは異なる方向に突出するフックをそれぞれ備え、
前記電子端末本体は、前記カバー部品が装着された場合において、当該カバー部品の両端部にそれぞれ対向する箇所に、当該カバー部品の両端部に形成された前記各突起が挿入される突起用凹部をそれぞれ有すると共に、当該各突起凹部が形成された箇所の近辺に、前記カバー部品の両端部近辺にそれぞれ形成された前記各フックが挿入されるフック用凹部をそれぞれ有する、
電子端末。
【請求項２】
請求項１に記載の電子端末であって、
前記カバー部品は、前記電子端末本体の一端側の形状に対応して、当該一端側の端面及びその両側方の少なくとも一部を囲うよう、前記カバー部材の中央付近に位置する中央部位に対して当該カバー部品の両端部側に位置する各端部側部位がそれぞれ曲折して形成されており、前記各端部側部位に、それぞれ前記突起及び前記フックが形成されている、
電子端末。
【請求項３】
請求項１又は２に記載の電子端末であって、
前記カバー部品の両端部にそれぞれ形成された前記突起と前記フックとは、相互に９０度異なる方向に突出している、
電子端末。
【請求項４】
請求項３に記載の電子端末であって、
前記カバー部品の両端部にそれぞれ形成された前記フックは、近辺に位置する前記突起側が面取りされて形成されている、
【請求項５】
請求項１乃至３のいずれかに記載の電子端末であって、
前記カバー部品は、前記電子端末本体の一端側の側面の少なくとも一部を覆う側面カバー部と、前記電子端末本体の一端側に位置する表面の少なくとも一部を覆う表面カバー部と、を有し、前記側面カバー部と前記表面カバー部とは、前記電子端末の一端側の形状に対して相互に所定の角度を成して形成されている、
電子端末。
【請求項６】
請求項５に記載の電子端末であって、
前記カバー部品は、前記表面カバー部の端部から前記突起が突出して形成されており、当該表面カバー部の内面側から前記フックが突出して形成されている、
電子端末。
【請求項７】
電子端末本体の一端側の周囲に装着される略Ｕ字状に形成された弾性体からなるカバー部品であって、
両端部に、当該各端部から突出する突起をそれぞれ備えると共に、当該各突起の近辺に当該突起の突出方向とは異なる方向に突出するフックをそれぞれ備え、
前記電子端末本体に前記カバー部品が装着された場合において、前記各突起は、前記カバー部品の両端部にそれぞれ対向する前記電子端末本体の箇所に形成された突起用凹部に挿入され、前記各フックは、前記電子端末本体の前記各突起凹部が形成された箇所の近辺にそれぞれ形成されたフック用凹部に挿入される、
カバー部品。
【請求項８】
請求項７に記載のカバー部品であって、
両端部にそれぞれ形成された前記突起と前記フックとは、相互に９０度異なる方向に突出している、
カバー部品。
【請求項９】
携帯型情報処理端末本体と、
当該携帯型情報処理端末本体の一端側の周囲に装着される略Ｕ字状に形成された弾性体からなるカバー部品と、を備え、
前記カバー部品は、両端部に、当該各端部から突出する突起をそれぞれ備えると共に、当該各突起の近辺に当該突起の突出方向とは異なる方向に突出するフックをそれぞれ備え、
前記携帯型情報処理端末本体は、前記カバー部品が装着された場合において、当該カバー部品の両端部にそれぞれ対向する箇所に、当該カバー部品の両端部に形成された前記各突起が挿入される突起用凹部をそれぞれ有すると共に、当該各突起凹部が形成された箇所の近辺に、前記カバー部品の両端部近辺にそれぞれ形成された前記各フックが挿入されるフック用凹部をそれぞれ有する、
携帯型情報処理端末。
【発明の詳細な説明】
【技術分野】
【０００１】
本発明は、電子機器にかかり、特に、周囲にカバー部品を装着した電子機器に関する。
【背景技術】
【０００２】
近年、携帯端末通信機器などの電子機器が多く使用されている。このような電子機器は、持ち運び可能であるため、使用者が不意に落としてしまうなど、落下により衝撃を受けることがある。このため、落下時の衝撃を緩和すべく、電子機器の周囲に、エラストマーのような弾性材料からなるバンパー部品を装着しているものがある。例えば、特許文献１に開示のものや、図１及び図２に開示のものがある。
【０００３】
具体的に、図１に開示した電子機器１０に装着されるバンパー部品２０は、略Ｕ字状に形成されている。そして、バンパー部品２０の中央付近には、複数のリブ２０ｃも設けられており、これらリブ２０ｃは、後述する図８の符号２ｃに示すように、電子機器１０（１）の本体側に形成された凹部（１ｂ）にそれぞれ挿入される。また、バンパー部品２０の両端には、それぞれ突起２０ａが設けられており、図２に示すように、電子機器１０の本体側の周囲に形成された穴１０ａに挿入されることとなる。
【先行技術文献】
【特許文献】
【０００４】
【特許文献１】特開２００９−１１１８０５号公報
【発明の概要】
【発明が解決しようとする課題】
【０００５】
ところが、上述した図８に示すように、電子機器１０（１）の本体側に、バンパー部品２０のリブ２０ｃを挿入する凹部（１ｃ）を形成できない場合、例えば、種々の部品や基板などを固定するためのネジ穴などの影響により凹部を形成するスペースが無い場合もある。かかる場合には、弾性体で形成されたバンパー部品２０は、衝撃などにより弾性変形し、図２の矢印Ｙ方向に移動して、電子機器１０から外れしまうことがある。つまり、電子機器の省スペース化により、電子機器の周囲に装着されたバンパー部品であるカバー部品が外れやすくなる、という問題が生じる。
【０００６】
このため、本発明の目的は、上述した課題である、電子機器の省スペース化を図った際に、電子機器の周囲に装着されたカバー部品が外れやすくなる、という問題を解決することができる電子機器を提供することにある。
【課題を解決するための手段】
【０００７】
本発明の一形態である電子端末は、
電子端末本体と、
当該電子端末本体の一端側の周囲に装着される略Ｕ字状に形成された弾性体からなるカバー部品と、を備え、
前記カバー部品は、両端部に、当該各端部から突出する突起をそれぞれ備えると共に、当該各突起の近辺に当該突起の突出方向とは異なる方向に突出するフックをそれぞれ備え、
前記電子端末本体は、前記カバー部品が装着された場合において、当該カバー部品の両端部にそれぞれ対向する箇所に、当該カバー部品の両端部に形成された前記各突起が挿入される突起用凹部をそれぞれ有すると共に、当該各突起凹部が形成された箇所の近辺に、前記カバー部品の両端部近辺にそれぞれ形成された前記各フックが挿入されるフック用凹部をそれぞれ有する、
という構成をとる。
【０００８】
また、本発明の他の形態であるカバー部品は、
電子端末本体の一端側の周囲に装着される略Ｕ字状に形成された弾性体からなるカバー部品であって、
両端部に、当該各端部から突出する突起をそれぞれ備えると共に、当該各突起の近辺に当該突起の突出方向とは異なる方向に突出するフックをそれぞれ備え、
前記電子端末本体に前記カバー部品が装着された場合において、前記各突起は、前記カバー部品の両端部にそれぞれ対向する前記電子端末本体の箇所に形成された突起用凹部に挿入され、前記各フックは、前記電子端末本体の前記各突起凹部が形成された箇所の近辺にそれぞれ形成されたフック用凹部に挿入される、
という構成をとる。
【０００９】
また、本発明の他の形態である携帯型情報処理端末は、
携帯型情報処理端末本体と、
当該携帯型情報処理端末本体の一端側の周囲に装着される略Ｕ字状に形成された弾性体からなるカバー部品と、を備え、
前記カバー部品は、両端部に、当該各端部から突出する突起をそれぞれ備えると共に、当該各突起の近辺に当該突起の突出方向とは異なる方向に突出するフックをそれぞれ備え、
前記携帯型情報処理端末本体は、前記カバー部品が装着された場合において、当該カバー部品の両端部にそれぞれ対向する箇所に、当該カバー部品の両端部に形成された前記各突起が挿入される突起用凹部をそれぞれ有すると共に、当該各突起凹部が形成された箇所の近辺に、前記カバー部品の両端部近辺にそれぞれ形成された前記各フックが挿入されるフック用凹部をそれぞれ有する、
という構成をとる。
【発明の効果】
【００１０】
本発明は、以上のように構成されることにより、電子機器の省スペース化を図りつつ、電子機器の周囲に装着されたカバー部品が外れることを抑制することができる。
【図面の簡単な説明】
【００１１】
【図１】本発明に関連する電子機器に装着されるカバー部品の構成を示す図である。
【図２】図１に開示したカバー部品を電子機器に装着したときの様子を示す図である。
【図３】本発明の第１の実施形態における電子機器の構成を示す図である。
【図４】図３に開示した電子機器の本体とカバー部品との構成を示す図である。
【図５】図４に開示したカバー部品の構成を示す図である。
【図６】図４に開示したカバー部品を電子機器に装着したときの様子を示す図である。
【図７】図４に開示したカバー部品を電子機器に装着したときの様子を示す図である。
【図８】図４に開示したカバー部品を電子機器に装着したときの様子を示す図である。
【図９】図４に開示したカバー部品の他の構成例、及び、当該カバー部品を電子機器に装着したときの様子を示す図である。
【発明を実施するための形態】
【００１２】
＜実施形態１＞
【００１３】
本発明の第１の実施形態を、図３乃至図９を参照して説明する。本実施形態における電子機器は、いわゆるスマートフォンなどの形態型情報処理端末である。但し、本発明である電子機器は、いかなる電子機器に適用されてもよい。
【００１４】
図３に示すように、電子機器は、外形が略長方形であり、電子機器本体１の短辺を形成する一端側の周囲に、カバー部品２が装着されるものである。具体的には、図４の電子機器本体１とカバー部品２の分解図に示すように、電子機器本体１の一端側の端面及びその両側方の一部を覆うよう、カバー部品２は略Ｕ字状に形成されている。そして、電子機器本体１の一端側の両側方部分が、電子機器本体１とカバー部品２とを連結固定する固定部３として機能する。以下、主に、電子機器本体１とカバー部分２との固定部３箇所における詳細な構成を説明する。
【００１５】
本実施形態におけるカバー部品２は、エラストマーのような弾性体にて形成されている。そして、カバー部品２は、図５に示すように、所定の長さを有する弾性体の両端部側に位置する各端部側部位が、その中央付近に位置する中央部位に対して、ほぼ９０度に曲折して略Ｕ字状に形成されている。つまり、カバー部品２は、電子端末本体１の一端側の外形に対応して形成されており、これにより、カバー部品２の中央部位は、電子端末本体１の一端側の端面の一部を覆うよう位置し、カバー部品２の各端部側部位は、電子他端末本体１の一端側の端面の両側方の一部を覆うよう位置する。
【００１６】
また、カバー部品２は、長手方向に対して垂直な方向における断面が、略９０度に曲折されて形成されている。具体的には、カバー部材２は、電子端末本体１に装着されたときに、当該電子端末本体１の一端側の側面の一部を覆う側面カバー部と、電子端末本体１の一端側に位置する表面の一部を覆う表面カバー部と、を有し、一体的に構成されている。つまり、側面カバー部は電子端末本体１の側面に沿って延び、表面カバー部は、電子端末本体１の一端側の表面に沿って延びるよう形成されている。なお、カバー部品２を構成する側面カバー部と表面カバー部とが相互になす角度は、略９０度であることに限定されず、いかなる角度であってもよい。
【００１７】
さらに、カバー部品２は、図５に示すように、その両端部に、それぞれ各端部から突出する突起２ａを備えている。具体的に、突起２ａは、カバー部品２を構成する表面カバー部の先端部分から、カバー部品２の端部自体が延びる方向に向かってさらに突出している。また、カバー部品２の各先端部分の近辺であり、当該先端部分とは反対側である中央部位よりには、上記突起２ａの突出方向とは異なる方向に突出するフック２ｂがそれぞれ形成されている。具体的に、フック２ｂは、カバー部品２を構成する表面カバー部の内面側から突出しており、カバー部品２の端部が延びる方向に対してほぼ直角の方向に突出している。つまり、突起２ａとフック２ｂとは、相互に９０度異なる方向に突出して形成されている。なお、カバー部品２の中央部位には、内面側から突出するリブ２ｃが複数形成されている。
【００１８】
そして、上述したカバー部品２の構造に対して、電子機器本体１側の一端側は、図６乃至８に示すように構成されている。まず、図６のＡ−Ａ線断面図、及び、図７のＢ−Ｂ線断面図に示すように、電子機器本体１の一端側の両側方には、カバー部品２の両端部から突出する各突起２ａが挿入される穴である突起用凹部１ａがそれぞれ形成されている。この突起用凹部１ａは、電子機器本体１の一端側から他端側に向かって深くなるよう形成されている。
【００１９】
さらに、電子機器本体１には、上記各突起用凹部１ａの近辺に、カバー部品２を構成する表面カバー部の内面側に形成されたフック２ｂが挿入される穴であるフック用凹部１ｂが形成されている。このフック用凹部１ｂは、電子機器本体１の一端側の表面から厚み方向に所定の深さだけ凹んで形成されている。このため、上記突起用凹部１ａとフック用凹部１ｂとの深さ方向は、相互に９０度異なる方向となっている。
【００２０】
また、図８のＣ−Ｃ線断面図に示すように、電子機器本体１の一端側には、カバー部品２の中央部位に形成されたリブ２ｃが挿入される穴であるリブ用凹部１ｃが複数形成されている。このリブ用凹部１ｃは、電子機器本体１の一端側の表面から厚み方向に所定の深さだけ凹んで形成されている。
【００２１】
上述した構成のカバー部品２を電子機器本体１に装着すると、図６及び図７に示すように、まず、カバー部材２の両端部に形成された各突起１ａが、それぞれ電子機器本体１に形成された突起用凹部２ａに挿入された状態となる。同時に、カバー部材２に形成された各フック１ｂが、それぞれ電子機器本体１に形成されたフック用凹部２ｂに挿入された状態となる。これにより、衝撃などの外力が生じた場合であっても、突起１ａによりカバー部品２が図６及び図７に示す矢印Ｚ方向に外れることを抑制でき、かつ、フック１ｂによりカバー部品２が図６に示す矢印Ｙ方向に外れることを抑制できる。特に、突起１ａとフック１ｂとが相互に近い位置に形成されているため、これらが各凹部２ａ，２ｂから外れることをより有効に抑制できる。
【００２２】
また、図８に示すように、カバー部材２の中央部位に形成されたリブ２ｃが、電子機器本体１に形成されたリブ用凹部２ｃに挿入される場合には、当該リブ２ｃによってもカバー部品２が矢印Ｙ方向に外れることを抑制できる。なお、省スペース化のため、電子機器本体１側にリブ用凹部１ｃを形成できない場合であっても、上述した突起１ａとフック１ｂとにより、カバー部品２が外力などで外れることを有効に抑制することができる。従って、本発明によると、例えば、省スペース化により、図７の符号１ｄに示すような位置にネジ穴などが形成されている場合や上述したようにリブ用凹部１ｃを形成できない場合であっても、カバー部品２が外れることを抑制することができる。
【００２３】
ここで、上述したカバー部品２は、図９に示すよう構成されていてもよい。図９に示すカバー部品２は、上述したものとフック２ｂの形状が異なる。具体的に、図９に示すフック２ｂは、近辺に位置する突起２ａ側の部位に面取りが形成されている。つまり、フック２ｂの突起２ａ側の側壁が突出端に向かって傾斜しており、当該フック２ｂの断面形状が突出端に向かうにつれて小さくなるよう形成されている。これにより、カバー部品２を電子機器本体１に組み付ける際に、フック２ｄがフック用凹部１ｂに引っ掛かることなく容易に挿入され、組み立てが容易となる。
【００２４】
なお、本発明におけるカバー部品２をはじめとする電子機器は、上述した構造であることに限定されない。例えば、フック２ｂは上述した場所に設けられていることに限定されず、他の場所であってもよい。
【００２５】
＜付記＞
上記実施形態の一部又は全部は、以下の付記のようにも記載されうる。以下、本発明における電子機器、カバー部品、携帯型情報処理端末の構成の概略を説明する。但し、本発明は、以下の構成に限定されない。
【００２６】
（付記１）
電子端末本体と、
当該電子端末本体の一端側の周囲に装着される略Ｕ字状に形成された弾性体からなるカバー部品と、を備え、
前記カバー部品は、両端部に、当該各端部から突出する突起をそれぞれ備えると共に、当該各突起の近辺に当該突起の突出方向とは異なる方向に突出するフックをそれぞれ備え、
前記電子端末本体は、前記カバー部品が装着された場合において、当該カバー部品の両端部にそれぞれ対向する箇所に、当該カバー部品の両端部に形成された前記各突起が挿入される突起用凹部をそれぞれ有すると共に、当該各突起凹部が形成された箇所の近辺に、前記カバー部品の両端部近辺にそれぞれ形成された前記各フックが挿入されるフック用凹部をそれぞれ有する、
電子端末。
【００２７】
（付記２）
付記１に記載の電子端末であって、
前記カバー部品は、前記電子端末本体の一端側の形状に対応して、当該一端側の端面及びその両側方の少なくとも一部を囲うよう、前記カバー部材の中央付近に位置する中央部位に対して当該カバー部品の両端部側に位置する各端部側部位がそれぞれ曲折して形成されており、前記各端部側部位に、それぞれ前記突起及び前記フックが形成されている、
電子端末。
【００２８】
（付記３）
付記１又は２に記載の電子端末であって、
前記カバー部品の両端部にそれぞれ形成された前記突起と前記フックとは、相互に９０度異なる方向に突出している、
電子端末。
【００２９】
（付記４）
付記３に記載の電子端末であって、
前記カバー部品の両端部にそれぞれ形成された前記フックは、近辺に位置する前記突起側が面取りされて形成されている、
【００３０】
（付記５）
付記１乃至３のいずれかに記載の電子端末であって、
前記カバー部品は、前記電子端末本体の一端側の側面の少なくとも一部を覆う側面カバー部と、前記電子端末本体の一端側に位置する表面の少なくとも一部を覆う表面カバー部と、を有し、前記側面カバー部と前記表面カバー部とは、前記電子端末の一端側の形状に対して相互に所定の角度を成して形成されている、
電子端末。
【００３１】
（付記６）
付記５に記載の電子端末であって、
前記カバー部品は、前記表面カバー部の端部から前記突起が突出して形成されており、当該表面カバー部の内面側から前記フックが突出して形成されている、
電子端末。
【００３２】
（付記７）
電子端末本体の一端側の周囲に装着される略Ｕ字状に形成された弾性体からなるカバー部品であって、
両端部に、当該各端部から突出する突起をそれぞれ備えると共に、当該各突起の近辺に当該突起の突出方向とは異なる方向に突出するフックをそれぞれ備え、
前記電子端末本体に前記カバー部品が装着された場合において、前記各突起は、前記カバー部品の両端部にそれぞれ対向する前記電子端末本体の箇所に形成された突起用凹部に挿入され、前記各フックは、前記電子端末本体の前記各突起凹部が形成された箇所の近辺にそれぞれ形成されたフック用凹部に挿入される、
カバー部品。
【００３３】
（付記８）
付記７に記載のカバー部品であって、
両端部にそれぞれ形成された前記突起と前記フックとは、相互に９０度異なる方向に突出している、
カバー部品。
【００３４】
（付記９）
携帯型情報処理端末本体と、
当該携帯型情報処理端末本体の一端側の周囲に装着される略Ｕ字状に形成された弾性体からなるカバー部品と、を備え、
前記カバー部品は、両端部に、当該各端部から突出する突起をそれぞれ備えると共に、当該各突起の近辺に当該突起の突出方向とは異なる方向に突出するフックをそれぞれ備え、
前記携帯型情報処理端末本体は、前記カバー部品が装着された場合において、当該カバー部品の両端部にそれぞれ対向する箇所に、当該カバー部品の両端部に形成された前記各突起が挿入される突起用凹部をそれぞれ有すると共に、当該各突起凹部が形成された箇所の近辺に、前記カバー部品の両端部近辺にそれぞれ形成された前記各フックが挿入されるフック用凹部をそれぞれ有する、
携帯型情報処理端末。
【００３５】
以上、上記実施形態や付記を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３６】
１  電子機器本体
１ａ  突起用凹部
１ｂ  フック用凹部
１ｃ  リブ用凹部
２  カバー部品
２ａ  突起
２ｂ  フック
２ｃ  リブ
【図１】
2014093453.tif 000003
【図２】
2014093453.tif 000004
【図３】
2014093453.tif 000005
【図４】
2014093453.tif 000006
【図５】
2014093453.tif 000007
【図６】
2014093453.tif 000008
【図７】
2014093453.tif 000009
【図８】
2014093453.tif 000010
【図９】
2014093453.tif 000011